(57)【要約】【課題】  ディスクにあけた通風孔に効率よくエアを導入して風圧でレンズ表面の埃を払拭するクリーニングディスクを提供すること。【解決手段】  ディスクにあけた透孔内に、透孔を複数の小空間に仕切ってディスク回転時の風を導入する仕切片を設けた通風ユニットを固定し、該通風ユニットの上縁部がディスク上面よりもわずかに突出してなることを特徴とする。【選択図】図１
2009193656.tif 000002
【特許請求の範囲】
【請求項１】
回転により発生する風圧を利用して光ピックアップレンズ表面の汚れをエア流で払拭するレンズクリーニングディスクにおいて、ディスクにあけた透孔内に、透孔を複数の小空間に仕切ってディスク回転時の風を導入する仕切片を設けた通風ユニットを固定し、該通風ユニットの上縁部がディスク上面よりもわずかに突出してなることを特徴とするレンズクリーニングディスク。
【請求項２】
通風ユニットの仕切片を平面Ｙ字形に形成し、透孔が３つの小空間で構成されることを特徴とする請求項１記載のレンズクリーニングディスク。
【請求項３】
通風ユニットの上縁部が、ディスク面より０．３ｍｍ以下の突出長さを有するとともに回転時の風圧と対面する向きにやゝ屈曲したものであることを特徴とする請求項１又は２記載のレンズクリーニングディスク。
【発明の詳細な説明】
【技術分野】
【０００１】  本発明は、光ピックアップレンズの表面に付着した埃を一掃するレンズクリーニングディスクに関する。
【背景技術】
【０００２】  ＤＶＤなどのディスク状記録媒体を読み取る光ピックアップレンズに付着したゴミ・埃を除去するために、盤面に清掃部材であるブラシを取り付けたクリーニングディスクは広く知られている。この方法はブラシが直接レンズ表面に接触するため払拭は比較的確実となるが、ブラシが盤面より突出するためレンズに当接する度合いが問題となる。すなわちブラシの突出が過ぎるとレンズに余分な負荷がかかって場合により信号を切断するおそれがあり、逆にブラシがレンズに触れないと汚れが払拭されない懸念があるからである。したがってブラシを用いないでレンズをクリーニングする技術も開発されている（例えば特許文献１及び２参照）。
【特許文献１】特開２００４−１７８７７８号公報
【特許文献２】特開２００６−４４９０号公報
【発明の開示】
【発明が解決しようとする課題】
【０００３】  特許文献１に記載のものは図４に示したようにディスク５０に吸入口５２と噴射口５３からなる通気機構５１を備えた例を示すもので、吸入口５２から吸い込んだエアを噴射口５３から噴射するようにして風圧によりレンズ表面の汚れを吹き払うことを目的としており通気機構５１はディスク５０全体に翼状となって形成されている。ところでディスク５０の厚さは１．２ｍｍ程度であり、この表面に通気機構５１を形成するとディスクは厚みが薄くなって温度差の激しい保管場所などでは歪曲変形するおそれや薄くなる分堅牢性に欠ける不具合と、ディスク５０に幅広の通気機構５１を形成するにはそれなりの手数も必要となる等の問題がある。【０００４】  特許文献２に記載のものは図５に示したようにディスク６０に貫通孔６１を形成し、貫通孔６１の一部をマスク体６２で覆うことでエアの逆流を抑え、空気流をレンズ側へ導いてクリーニング効果を向上させることを目的としている。この場合マスク体６２は当然ながらディスク６０に突出形成されるのでディスクを収納するプレーヤーの空間にはその分の余裕がなければならないが、カープレーヤーのような狭い個所に適合するか否かの問題が残るのと、ディスク６０にマスク体６２という突起物を形成すること自体製作上も容易ではなく、更にマスク体６２の固定が不十分であるとディスク６０の高速回転風圧によって歪曲したり脱落する懸念もある。【０００５】  本発明はこのような従来技術に鑑みてなされたものであり、ディスクにあけた通風孔よりエアを効率よく導入して風圧でレンズの埃を払拭することができ、自動車に設置されているプレーヤーのような狭い空間にも十分対応できるレンズクリーニングディスクを提供することを目的とする。
【課題を解決するための手段】
【０００６】  上記目的を達成するため本発明は、回転により発生する風圧を利用して光ピックアップレンズ表面の汚れをエア流で払拭するレンズクリーニングディスクにおいて、ディスクにあけた透孔内に、透孔を複数の小空間に仕切ってディスク回転時の風を導入する仕切片を設けた通風ユニットを固定し、該通風ユニットの上縁部がディスク上面よりもわずかに突出してなることを特徴とする。【０００７】  また前記通風ユニットの仕切片を平面Ｙ字形に形成し、透孔が３つの小空間で構成されることが好ましい。【０００８】  前記通風ユニットの上縁部が、ディスク面より０．３ｍｍ以下の突出長さを有するとともに回転時の風圧と対面する向きにやゝ屈曲したものであることを特徴としている。
【発明の効果】
【０００９】  透孔内に固定した通風ユニットが、ディスク回転時に発生するエアの導入を可能とする。すなわち単に透孔を穿つだけではエアが盤面を通過するにすぎないが、上縁部をわずかに突出した通風ユニットを設けたことによりあたかも誘い水のようにエア流が通風ユニットの上縁に触れ複数の小空間に分散して流れ込む。このため透孔下面からは通風ユニットに取り込まれたエア流が小空間から凝縮状に勢いよく噴出して下方に位置する光ピックアップのレンズ表面に衝当し、レンズに付着したゴミ・埃を払拭するのでレンズは清掃され正しく機能する。【００１０】  通風ユニットは透孔内に取り付けされるので、突起物をディスク上面に取り付けるのと異なり回転風圧をまともに受けることがなく安定性が保持される。そして清掃ブラシのようにディスク下面に突出することもなく、レンズに負荷がかからないので信号切断のような懸念もない。【００１１】  通風ユニットの上縁部はわずかに突出しているにすぎず、自動車内のようなディスクの設置空間が狭い個所にも無理なく取り付けができる。
【発明を実施するための最良の形態】
【００１２】  図面を参照して本発明の好適な実施形態につき説明すると、図１（ａ）において１は本体のディスクで、録音・再生用の一般的ＣＤ・ＤＶＤ等と同形で厚みが１．２ｍｍ程度であり、ディスク１の中心孔２の左右に透孔３が穿設されている。透孔３は上部を広くしたテーパ状とすることが好ましく、上部の直径は３〜５ｍｍに形成する。そして透孔３に通風ユニット１０が取り付けられている。通風ユニット１０は（ｂ）図のように平面Ｙ字形で３つの仕切片１１を有しこの仕切片１１によって透孔３が三つの小空間４に仕切られている。【００１３】  図２（ａ）は通風ユニット１０の外観を示し、（ｂ）図のようにディスク１の透孔３に嵌合固定すると上縁部１２がディスク１の上面よりもわずかに突出する形となる。上縁部１２の突出高さはディスク１の上面から０．３ｍｍ以下の極めて小さな凸部とし、ディスク１の総体的厚みが可及的増えないようにしてディスク１を取り付けるプレーヤーの収納部が狭いカーステレオなどにも十分対応できる構造となっている。自動車の場合、家庭用プレーヤーとは異なり限られた固定空間内に必要機能を備えなければならないためディスクのセセット幅に余裕がなく、０．３ｍｍを超える突出部があると装置の一部に接触してディスクが回転不能となるおそれがあるからであり、この点を考慮して通風ユニット１０の上縁部１２を０．３ｍｍ以下とすることが好ましい。【００１４】  通風ユニット１０は透孔３の内径に適合する大きさに形成され、合成樹脂の成型品として得られる。前記したように透孔３をテーパ状にしたときは通風ユニット１０もテーパ状にするとディスク１の上方から圧接状に押し込むことで密に嵌着できるが、接着剤を用いると固定が更に不動状となる。【００１５】  通風ユニット１０はディスク１の回転時に発生するエアの一部が突出している上縁部１２に一旦衝当して透孔３内に取り込まれる。そして（ｃ）図のように上縁部１２を回転風圧と対面する向きにやゝ屈曲するとエアはこの上縁部１２に案内されるかたちとなるので好ましい。ディスク１は常に時計回りに回転して風圧が通風ユニット１０を直撃するが、その際矢指のように上縁部１２の屈曲面にエアは衝当して自動的に透孔３内に導入される。通風ユニット１０はＹ字形にすると透孔３は三つの小空間４にほゞ平等に分散してエア流は案内され、透孔３の下面口３ａからディスク１の下部に排出されてディスク１の下方に位置する光ピックアップのレンズ２０の表面に至り、そのエア圧がレンズ２０に付着しているゴミ・埃を吹き飛ばす。【００１６】  通風ユニット１０は上縁部１２を除き全体が透孔３内に没入しているためディスク１の回転によっていささかも妄動することなく所定量のエア流を取り込むことができる。すなわち仕切片１１が透孔３の内面三方向に対し張設状態となっているためバランスがよく、堅牢強固に保持されて耐久性を有し、クリーニング中にディスク１の回転に支障を生じることはない。仕切片１１が２カ所であると安定性に欠け、多過ぎる場合は製作上面倒となったり、透孔３に形成される小空間４が狭すぎることとなるのでＹ字形にとすることが最も理にかなった構成といえる。【００１７】  前記透孔３はテーパ状以外としても可能であるが、その場合は当然ながら通風ユニット１０も透孔内に密接するように形成される。また図示した透孔３はディスク１０の中心孔２の左右に設けているが、場合により１カ所又は複数個所とすることは差し支えない。【００１８】  図３は本発明のディスク１上に糸状清掃体３０を取り付けた例を示している。すなわちこの糸状清掃体３０はディスク１に一対の小孔（不図示）をあけ、清掃体３０の左右を両小孔に挿通して左右の端部をディスク１の下面より突出させ、その清掃体３０の突出部で前記レンズ２０の埃・チリなどを吹き払うことができるとしたもので、上面には厚みの薄い抑え片３１が配置されて清掃体３０がディスク１に固定されるものであって、この清掃体３０は乾式でも湿式でも使用可能であること勿論である。
【図面の簡単な説明】
【００１９】
【図１】本発明におけるディスクを示し、（ａ）は平面図、（ｂ）は通風ユニットを取り付けた透孔部分の拡大図である。
【図２】通風ユニットを示し、（ａ）外観斜視図、（ｂ）はディスクにセットし、レンズ表面にエア流を衝当させる状態の断面図、（ｃ）は屈曲した上縁部がエアを導入する説明図である。
【図３】本発明のディスク上に清掃糸を取り付けた平面図である。
【図４】従来例を示す説明図である。
【図５】他の従来例を示す説明図である。
【符号の説明】
【００２０】１    ディスク
２    中心孔
３    透孔
４    小空間
１０  通風ユニット
１１  仕切片
１２  上縁部
２０  レンズ
【図１】
2009193656.tif 000003
【図２】
2009193656.tif 000004
【図３】
2009193656.tif 000005
【図４】
2009193656.tif 000006
【図５】
2009193656.tif 000007